(57)【要約】【課題】本発明は、建築物の壁及び天井など建築用の部材を張り付けるための鋼製骨組の下地材に関し、その下地材の固定の為に適用される組立固定具について、迅速にして正確に下地材を組立てられ固定するものを提供する。【解決手段】建築物の壁や天井材を張り付ける骨組の下地材に適用される組立固定具に於いて、該固定具は、ランナとランナが直角に突き合う角部や、ランナに対して直角に衝合する接続部において、該スタッドへ各挿入して固定する延出部を備えた組立固定具を提供するものである。【選択図】　図１
2004076363.tif 000002
【特許請求の範囲】
【請求項１】
建築物の壁や天井材の骨組の下地材に適用される組立固定具に於いて、該固定具は、ランナ内へ挿入されるスタッドの角部や接続部で、該スタッドへ各挿入して固定する延出部を備えたことを特徴とする組立固定具
【請求項２】
接続部では接合するスタッドに対し嵌合する２つのコの字状及び逆コの字状を形成する各片からなることを特徴とする請求項１記載の組立固定具
【請求項３】
角部では接合するスタッドに対し嵌合する２つのコの字状を形成する各片からなることを特徴とする請求項１記載の組立固定具
【請求項４】
角部では接合するスタッドに対し間挿部材を介して嵌合する２つのコの字状をなしかつ先端部でスタッドの溝に係合する各片からなることを特徴とする建築物の壁や天井材の骨組の下地材に適用される取付固定具
【発明の詳細な説明】
【０００１】
【発明の属する技術分野】
本発明は、建築物の壁及び天井など建築用鋼製骨組の下地材の固定の為に適用される組立固定具に関する。
【０００２】
【従来の技術】
従来、建築物の壁や天井の鋼製下地材は、図６に示すように、溝を備えランナ１内へスタッド２を挿入し、その面へ壁材を貼ることが一般に行われている。
【０００３】
部屋の角やランナ１の継ぎ目部では、この場合に、ランナ１内へスタッド２を順次挿着して骨材となし、その上に壁材を貼ることが行われている。
【０００４】
【発明が解決しようとする課題】
上記の従来の構成では、ランナ１内へスタッド２を挿入するとき、角部や接合部等でスタッド２同士取り付けが容易でなく、留め金とかＬ字状のアングル材で止めたりして、固定していたが、その固定に当たっては、かなりの取り付け時間を要し、建設時間がかかりコストに跳ね返っていた。又、固定に当たっては、かなりの熟練を要し、その為に習熟の為の費用と時間をも必要としていた。
【０００５】
本発明は、上記の問題点を改善して、ランナ１内へスタッド２を挿入し、角部や仕切部等のランナ１が衝合する部分で迅速にスタッド２の固定が容易に行えるような部材殿組合せによって、工期の大幅な短縮とコストの低減を図ることを目的とする。
【０００６】
【課題を解決するための手段】
上記の課題を解決するために本発明では、建築物の壁や天井材の骨組の下地材に適用される組立固定具に於いて、該固定具は、ランナ内へ挿入されるスタッドの角部や接続部で、該スタッドへ各挿入して固定する延出部を備えた組立固定具を提供する。
【０００７】
更に、接続部では接合するスタッドに対し嵌合スルコの２つの字状及び逆コの字状を形成する各片からなる組立固定具を提供する。
【０００８】
角部では接合するスタッドに対し嵌合スルコの２つの字状を形成する各片からなる組立固定具を提供する。
【０００９】
角部では接合するスタッドに対し間挿部材を介して嵌合する２つのコの字状をなしかつ先端部でスタッドの溝に係合する各片からなる取付固定具を提供し、組立、取付と固定の双方の作用を行わせる。
【００１０】
【発明の実施の形態】
本発明の実施の形態を実施例に基づき、図面を参照して説明する。図１は本発明の実施例の一つである。
【００１１】
図１で示されるのは、ランナ１に対して他のランナ１が直角に衝立している状態を示す。
【００１２】
その中には、スタッド２が３本立てられる。１本のランナ１内へスタッド２，２が間隙を置いて２本挿入され、他のランナ１内へは１本のスタッド２が挿入される。この状態では、平面では、スタッド２の３本は、凸部状になっている。
この場合、従来は、間隙を勘で配置して適宜な固定手段によって行っていたが、
本発明では、図１に示す固定手段として組立固定具４が用いられる。
【００１３】
組立固定具４は、スタッド２群に挿入合致するように形成される延出部を備えている。即ち、スタッド２に合致する組立固定具４のＡは、図１に示す左端部において、コの字状になっている。コの字状は、各片４０１、４０２，４０３からなり、スタッド２に挿入し嵌合する。組立固定具４のＢは、Ａと反対側にコの字状に突出していて、中央の逆コの字状の片４００が、３個のスタッド２で形成される凹部へ嵌入される。この図１の（１）では、片４００はビス等で固定されるが、図１の（２）では、片４０３、４０３のように、片４００，４００が片４０１，４０１から各延出しており、これによって、真中のスタッド２を固定する。
【００１４】
次の組立固定具４のＣは、Ａと同様に右端部で、コの字状になって、右端のスタッド２と嵌合する。
【００１５】
このような状態で、ランナ１内をスライドさせて、スタッド２を組立固定具４が嵌合するような位置に３本のスタッドを各寄せておき、組立固定具４をスタッド２の適宜な位置において、矢印Ｘ方向から各スタッド間に挿入し嵌合すれば直ちに、３本のスタッド２を固定することができる。このようにして順次ランナ１を伸ばして行き、適宜箇所にてランナ１に対して直角にランナ１を衝合させて壁を形成して行くことができ、組み立て速度は著しく改善された。
【００１６】
固定は、これで充分であるが、更に固定を図るためには、組立固定具４の前面部４０にボルトなどや他の適宜な手段によって固定することも可能である。
【００１７】
図１に示すような実施例では、ランナ１を順次延出しておき、これに対して、部屋を仕切る場合には、直角方向にランナ１材を衝合させて、壁面を形成する骨材とする。これに対して、ランナ１とランナ１とが直角となっている角部屋などでは、以下の実施例が適用できる。
【００１８】
図２に示す実施例では、ランナ１，１が直角に接している地点での、スタッド２，２の組立固定具４の活用に関する。その詳細な図は第３図に示される。
【００１９】
図３の（１）に示すように、各片４１０，４１１，４１２で組立具固定具となる凹部Ｄを形成し、他のスタッド２のための凹部Ｅを同様に形成する。
【００２０】
図３の（２）に示すものは、角部が片４２０で一方向が閉塞されている。これは、スタッド（図示せず）がライナ１，１で形成された角部の置かれるためで、片４２０は、このスタッドを支持すためである。この片４２０は、勿論、図３の（２）の下端側に設けても構わない。
【００２１】
なお、スタッドは、角部に該スタッドを設ける事で角部の露出を防ぐと共に壁材等を取付け易くすることにある。
【００２２】
図４に示すものは、取付固定具５に関する。本来組立固定具がスタッド３間へ挿入することで、壁材取付上は困難を来さないものであるが、更に固定を充分にするには、従来のボルトやビスの外、取付固定具５を取り付けることでも可能である。しかし、本取付固定具５だけでもスタッド２を固定することができる。
【００２３】
図４の（１）に示す取付固定具５の場合には、先端が内側の曲がった端部５０、５０を持ち、スタッド２，２間の間隙部を抜けて、スタッド６を介し（一部のみ示す）差し込み係合させ、図４の（２）に示すように、Ｘ方向からスタッド２にある強化用の溝２０、２０を利用し該溝内へ係合し取り付けられる。スタッドは、適宜な矩形状なものでよい。
【００２４】
そして、次には、Ｙ方向からも、同様に取付部５が、図の下方で垂直方向でづらされて、取付られて固定される。３方向から挿入固定されることで、従来のボルトやねじ等に比較して簡単で迅速に行える。
なお、Ｙ方向からでなくても逆方向からも挿入することは可能である。
【００２５】
この取付構成は、角部に於いても同様であり、図４の（３）に示すように、スタッド６を介して、取付固定具５が各ＸＹ方向から取付られ固定される。
【００２６】
この場合にも、図４の（２）に示すように、垂直方向でもずらされて、取り付けられるのは勿論である。なお、図４に示すものを前記実施例のものに加えて、固定のために付加してもよい。
【００２７】
なお、取付固定具５に対して、図５に示すように、Ｈ型の挿入固定具７を、例えば、図４の（３）のＸ方向に対して、Ｈ型の一方をスタッド６へ挿着し、他方のスタッドへ又一方を挿着することで、長く接続する場合に応用できる。
【００２８】
【発明の効果】
本発明は、従来の構成では、ランナ１内へスタッド２を挿入するとき、角部や接合部等でスタッド２同士取り付けが容易でなく、留め金とかＬ字状のアングル材で止めたりして、固定していたが、その固定に当たっては、かなりの取り付け時間を要し、建設時間がかかりコストに跳ね返っていた。又、固定に当たっては、かなりの熟練を要し、その為に習熟の為の費用と時間をも必要としていた点が改善され、固定にあたって迅速の角部や接合部において、スタッドの固定が容易に実施でき、建築工期を短縮することが可能となった。
【００２９】
更に、従来は、角部や接合部の組み立てた固定は、人手により行われ、留め金とかＬ字状のアングル材で止めていたため、精度にばらつきが出易く、誤差を生じていた点がなくなり、正確な組み立てが可能となった。
【００３０】
また、スタッドが所謂治具と同じ役割を果たすので、熟練工でなくても正確な組み立てを実施できることとなった。
【図面の簡単な説明】
【図１】本発明の第一の実施例である壁材や天井の骨組下地材用の組立固定具の斜視図を示す。
【図２】本発明の第二の実施例である組立固定具の取付状況を示す。
【図３】本発明の第二の実施例の組立固定具を示す。
【図４】本発明における他の実施例である取付固定具の取付状況を示す。
【図５】本発明におけるライナ及びスタッドの接続に適用される挿入固定具を示す。
【図６】従来の壁材や天井などを取付る骨組下地材用のランナとスタッドの状況を示す。
【符号の説明】
１　　　　ランナ
２　　　　　スタッド
２０　　溝
４　　　　　組立固定具
４１０　片
４１１　片
４１２　　片
５　　　取付固定具
６　　　スタッド
【図１】
2004076363.tif 000003
【図２】
2004076363.tif 000004
【図３】
2004076363.tif 000005
【図４】
2004076363.tif 000006
【図５】
2004076363.tif 000007
【図６】
2004076363.tif 000008